(57)【要約】      （修正有）【課題】プリント基板等の各種カードの着脱操作を容易化する。【解決手段】コネクタに着脱されるカード８が搭載されるカードユニット６であって、前記カードが搭載されて伸縮するフレーム６０４と、前記フレームを伸縮させて前記カードを前記コネクタに着脱させる着脱機構６０６とを備える構成である。前記着脱機構は、回転操作によって前記フレームを伸縮させる回動可能な着脱レバー６４０を備える。前記コネクタから前記カードを離脱させた位置で前記フレームを保持する保持部を備える。【選択図】図１１
2007109985.tif 000002
【特許請求の範囲】
【請求項１】
コネクタに着脱されるカードが搭載されるカードユニットであって、
前記カードが搭載されて伸縮するフレームと、
前記フレームを伸縮させて前記カードを前記コネクタに着脱させる着脱機構と、
を備えることを特徴とするカードユニット。
【請求項２】
請求項１に記載のカードユニットにおいて、
前記着脱機構は、回転操作によって前記フレームを伸縮させる回動可能な着脱レバーを備えることを特徴とするカードユニット。
【請求項３】
請求項１に記載のカードユニットにおいて、
前記コネクタから前記カードを離脱させた位置で前記フレームを保持する保持部を備えることを特徴とするカードユニット。
【請求項４】
請求項１に記載のカードユニットにおいて、
前記コネクタに前記カードが装着された位置で前記フレームの移動をロックするロック機構を備えることを特徴とするカードユニット。
【請求項５】
請求項１に記載のカードユニットにおいて、
前記フレームに搭載された前記カードを防護する防護カバーを備えることを特徴とするカードユニット。
【請求項６】
請求項１に記載のカードユニットにおいて、
前記フレームは、支持フレーム部と、前記カードが搭載されて移動可能な可動フレーム部とを備え、前記可動フレーム部の移動によって伸縮することを特徴とするカードユニット。
【請求項７】
請求項１に記載のカードユニットにおいて、
前記可動フレーム部に設置されたベース部と、
前記カードに応じて固定位置が調整され、前記ベース部上に前記カードを固定するカード固定機構と、
を備えることを特徴とするカードユニット。
【請求項８】
請求項１に記載のカードユニットにおいて、
前記着脱機構は、
前記カードが搭載されて移動可能な可動フレーム部と、
この可動フレーム部と別個に設けられた支持フレーム部と、
この支持フレーム部に摺動可能に支持されたスライド部と、
このスライド部と前記可動フレーム部との間に設置されて前記スライド部の移動方向と交差する方向に前記可動フレーム部を移動させる移動方向変換機構部と、
を備え、前記スライド部を移動させることにより、前記移動方向変換機構部を介して前記可動フレーム部を移動させることにより、前記コネクタに対して前記カードを着脱させることを特徴とするカードユニット。
【請求項９】
請求項４に記載のカードユニットにおいて、
前記ロック機構は、
回転操作によって前記フレームを伸縮させる回動可能な着脱レバーに回動可能に設置されたグリップと前記フレームとの間に設置され、前記グリップの回動によって解除可能な構成であることを特徴とするカードユニット。
【請求項１０】
請求項８に記載のカードユニットにおいて、
前記着脱機構に、前記支持フレーム部に対し、移動を開始する移動開始点、移動を終了させる移動終了点を設定するとともに、前記移動開始点又は前記移動終了点の何れか一方又は双方に前記可動フレーム部をその位置で保持する保持部を備えることを特徴とするカードユニット。
【請求項１１】
請求項８に記載のカードユニットにおいて、
前記可動フレーム部に搭載された前記カードの前記コネクタとの着脱位置を決定する位置決め部を含むことを特徴とするカードユニット。
【請求項１２】
請求項８に記載のカードユニットにおいて、
前記移動方向変換機構部は、
前記スライド部に取り付けられたスライドシャフトと、
前記可動フレーム部に形成され、前記スライドシャフトの移動方向と交差する方向の角度を持たせた長孔と、
を備えたことを特徴とするカードユニット。
【請求項１３】
請求項８に記載のカードユニットにおいて、
前記支持フレーム部に設置され、前記カードユニットの前面側に光を導く導光部を備えたことを特徴とするカードユニット。
【請求項１４】
請求項１２に記載のカードユニットにおいて、
前記支持フレーム部に形成されて前記スライドシャフトの移動を案内するとともに、移動範囲を規制するガイド部を含むことを特徴とするカードユニット。
【請求項１５】
カードが搭載されたカードユニットを着脱可能に含む機器ユニットであって、
前記カードを着脱させるコネクタが搭載された基板部と、
この基板部を覆い、前記カードユニットを収容するハウジング部と、
を備えることを特徴とする機器ユニット。
【請求項１６】
請求項１５に記載の機器ユニットにおいて、
前記カードユニットは、前記カードが搭載されて移動する可動フレーム部を備え、前記可動フレームの移動により、前記コネクタに対し、前記カードを着脱させることを特徴とする機器ユニット。
【請求項１７】
カードユニットに搭載されたカードのコネクタに対するカード着脱方法であって、
前記カードを搭載したフレームと交差方向にスライド部を移動させ、前記スライド部の移動方向を変換する工程と、
前記スライド部によって操作された前記フレームの移動により、前記カードを前記コネクタに対して着脱させる工程と、
を含むことを特徴とするカード着脱方法。
【請求項１８】
カードが搭載されたカードユニットを備える電子機器であって、
カードが搭載されたカードユニットを着脱可能に含む機器ユニットを着脱可能に備えることを特徴とする電子機器。
【請求項１９】
カードが搭載されたカードユニットを備える電子機器であって、
前記カードを着脱させるコネクタが搭載された基板部と、
この基板部を覆い、前記カードユニットを収容するハウジング部と、
を備えることを特徴とする電子機器。
【請求項２０】
請求項１８に記載の電子機器において、
前記カードユニットの着脱に応じて切り換えられるスイッチと、
前記スイッチの切換えにより、交換対象である前記カードが着脱される前記コネクタをバスから切り離す切換部と、
を備えることを特徴とする電子機器。
【発明の詳細な説明】
【技術分野】
【０００１】
本発明は、サーバ装置等の電子機器に搭載されるプリント基板等のカードの着脱構造に関し、サーバ装置に搭載される例えば、ＰＣＩ（Peripheral Component Interconnect ）カード等の各種カードの着脱に適したカードユニット、機器ユニット、カード着脱方法及び電子機器に関する。
【背景技術】
【０００２】
多数のプリント基板を搭載する電子機器として例えば、サーバ装置では、システムの規模に応じてＰＣＩカード等の機能を拡張するための多数のカードが搭載され、各カードは、機能拡張や保守等、必要に応じて交換等のため、着脱される。このようなカード交換のために電源を遮断することはユーザに過大な負担を強いるし、障害を誘発させるリスクもある。サーバ装置におけるＰＣＩカード等の保守は、通常、電源を遮断した後、ドライバ等の工具を用いて、対象カードにアクセスして交換作業をするか、又は、電源を維持した状態であっても、交換カードにアクセスするにはドライバ等の工具が必要であった。また、静電破壊対策等の処理も必要である。
【０００３】
このような電子機器におけるカード交換技術等に関し、プリント基板等のカードを搭載する構造としてカードコネクタにユニット化されたカードを着脱させる構成（特許文献１）や、エンクロージャに機器ユニットを着脱させる際に、ユニットに取り付けられたレバーによって操作する構成（特許文献２）等が知られている。
【特許文献１】特開２００２−３５３６６３号公報（段落番号００１４、図１等）
【特許文献２】特開２００４−５４９６７号公報（段落番号００３７、図４等）
【発明の開示】
【発明が解決しようとする課題】
【０００４】
ところで、サーバ装置等の電子機器に搭載された交換可能なカードでは、カードとボード側に設置されたコネクタとの着脱によって接続精度を低下させたり、接点を損傷させるおそれがあり、その着脱には細心の注意を払う必要がある。カード交換にドライバ等の工具を用いる場合、その工具が不用意に他の基板等の部品に接触するおそれがある。また、機器のケースを開閉する作業を伴う等、工数が多い場合には、交換等の保守効率を低下させる。
【０００５】
このような課題に関し、特許文献１、２にはその課題を開示ないし示唆しておらず、また、その解決するための構成を開示し又は示唆するものではない。
【０００６】
そこで、本発明の第１の目的は、プリント基板等の各種カードの着脱操作を容易化することにある。
【０００７】
また、本発明の第２の目的は、カード交換等に伴うコネクタとカードとの着脱操作における着脱精度の向上にある。
【課題を解決するための手段】
【０００８】
上記目的を達成するため、本発明の第１の側面は、コネクタに着脱されるカードが搭載されるカードユニットであって、前記カードが搭載されて伸縮するフレームと、前記フレームを伸縮させて前記カードを前記コネクタに着脱させる着脱機構とを備える構成である。斯かる構成によれば、カードユニットのフレームに搭載されたカードを、着脱機構によってフレームを伸縮させることによりコネクタに着脱させることができる。
【０００９】
上記目的を達成するためには、上記カードユニットにおいて、前記着脱機構は、回転操作によって前記フレームを伸縮させる回動可能な着脱レバーを備える構成としてもよい。斯かる構成によれば、着脱レバーの回動によって着脱機構を操作し、フレームを伸縮させることができる。
【００１０】
上記目的を達成するためには、上記カードユニットにおいて、前記コネクタから前記カードを離脱させた位置で前記フレームを保持する保持部を備える構成としてもよい。斯かる構成によれば、コネクタからカードを離脱させた位置でフレームを保持部によって保持すれば、フレーム上でカードを容易に交換することができる。
【００１１】
上記目的を達成するためには、上記カードユニットにおいて、前記コネクタに前記カードが装着された位置で前記フレームの移動をロックするロック機構を備える構成としてもよい。斯かる構成によれば、ロック機構によってフレームの移動がロックされ、コネクタとカードとの結合状態を維持することができる。
【００１２】
上記目的を達成するためには、上記カードユニットにおいて、前記フレームに搭載された前記カードを防護する防護カバーを備える構成としてもよい。斯かる構成によれば、フレーム上のカードが防護カバーによって防護される。
【００１３】
上記目的を達成するためには、上記カードユニットであって、前記フレームは、支持フレーム部と、前記カードが搭載されて移動可能な可動フレーム部とを備え、前記可動フレーム部の移動によって伸縮する構成としてもよい。斯かる構成によれば、支持フレーム部に対して移動する可動フレーム部の位置により、フレームが伸長状態又は縮小状態となる。
【００１４】
上記目的を達成するためには、上記カードユニットにおいて、前記可動フレーム部に設置されたベース部と、前記カードに応じて固定位置が調整され、前記ベース部上に前記カードを固定するカード固定機構とを備える構成としてもよい。斯かる構成によれば、カードのサイズや形状に無関係にカードをベース部を介して可動フレーム部に固定することができる。
【００１５】
上記目的を達成するためには、上記カードユニットであって、前記着脱機構は、前記カードが搭載されて移動可能な可動フレーム部と、この可動フレーム部と別個に設けられた支持フレーム部と、この支持フレーム部に摺動可能に支持されたスライド部と、このスライド部と前記可動フレーム部との間に設置されて前記スライド部の移動方向と交差する方向に前記可動フレーム部を移動させる移動方向変換機構部とを備え、前記スライド部を移動させることにより、前記移動方向変換機構部を介して前記可動フレーム部を移動させることにより、前記コネクタに対して前記カードを着脱させる構成としてもよい。
【００１６】
上記目的を達成するためには、上記カードユニットにおいて、前記ロック機構は、回転操作によって前記フレームを伸縮させる回動可能な着脱レバーに回動可能に設置されたグリップと前記フレームとの間に設置され、前記グリップの回動によって解除可能な構成としてもよい。斯かる構成により、フレームの伸縮がロックされ、コネクタに対するカードの装着状態を維持することができる。
【００１７】
上記目的を達成するためには、上記カードユニットにおいて、前記着脱機構に、前記支持フレーム部に対し、移動を開始する移動開始点、移動を終了させる移動終了点を設定するとともに、前記移動開始点又は前記移動終了点の何れか一方又は双方に前記可動フレーム部をその位置で保持する保持部を備える構成としてもよい。斯かる構成によれば、カードの交換位置、コネクタ及びカードの装着位置の各精度が高められる。
【００１８】
上記目的を達成するためには、上記カードユニットにおいて、前記可動フレーム部に搭載された前記カードの前記コネクタとの着脱位置を決定する位置決め部を含む構成としてもよい。
【００１９】
上記目的を達成するためには、上記カードユニットにおいて、前記移動方向変換機構部は、前記スライド部に取り付けられたスライドシャフトと、前記可動フレーム部に形成され、前記スライドシャフトの移動方向と交差する方向の角度を持たせた長孔とを備えた構成としてもよい。
【００２０】
上記目的を達成するためには、上記カードユニットにおいて、前記支持フレーム部に設置され、前記カードユニットの前面側に光を導く導光部を備えた構成としてもよい。
【００２１】
上記目的を達成するためには、上記カードユニットにおいて、前記支持フレーム部に形成されて前記スライドシャフトの移動を案内するとともに、移動範囲を規制するガイド部を含む構成としてもよい。
【００２２】
上記目的を達成するため、本発明の第２の側面は、カードが搭載されたカードユニットを着脱可能に含む機器ユニットであって、前記カードを着脱させるコネクタが搭載された基板部と、この基板部を覆い、前記カードユニットを収容するハウジング部とを備える構成である。
【００２３】
上記目的を達成するためには、上記機器ユニットにおいて、前記カードユニットは、前記カードが搭載されて移動する可動フレーム部を備え、前記可動フレームの移動により、前記コネクタに対し、前記カードを着脱させる構成としてもよい。
【００２４】
上記目的を達成するため、本発明の第３の側面は、カードユニットに搭載されたカードのコネクタに対するカード着脱方法であって、前記カードを搭載したフレームと交差方向にスライド部を移動させ、前記スライド部の移動方向を変換する工程と、前記スライド部によって操作された前記フレームの移動により、前記カードを前記コネクタに対して着脱させる工程とを含む構成である。斯かる構成によれば、スライド部に応じてフレームを移動させ、このフレームの移動によりカードをコネクタに着脱させることができる。
【００２５】
上記目的を達成するため、本発明の第４の側面は、カードが搭載されたカードユニットを備える電子機器であって、カードが搭載されたカードユニットを着脱可能に含む機器ユニットを着脱可能に備える構成である。斯かる構成によれば、所望のカードを搭載したカードユニットを備えた機器ユニットを用いて各種電子機器に搭載することができる。
【００２６】
上記目的を達成するため、本発明の第５の側面は、カードが搭載されたカードユニットを備える電子機器であって、前記カードを着脱させるコネクタが搭載された基板部と、この基板部を覆い、前記カードユニットを収容するハウジング部とを備える構成である。斯かる構成によれば、複数のカードを搭載し、その交換を必要とするサーバ装置等の電子機器に適用することができる。
【００２７】
上記目的を達成するためには、上記電子機器において、前記カードユニットの着脱に応じて切り換えられるスイッチと、前記スイッチの切換えにより、交換対象である前記カードが着脱される前記コネクタをバスから切り離す切換部とを備える構成としてもよい。斯かる構成によれば、バスを切り離したコネクタにカードを装着し、カードを装着したコネクタにバスを接続することができ、カードの損傷や、カードの搭載機器側のカード着脱に伴う影響を回避することができる。
【発明の効果】
【００２８】
本発明によれば、次の効果が得られる。
【００２９】
(1) プリント基板の各種カードの交換等における着脱にドライバ等の工具が不要、又はその使用が軽減されるので、カードの着脱処理が容易化される。
【００３０】
(2) カード交換に伴うカードの着脱位置が規制されるので、着脱対象であるカードとコネクタとの位置関係がずれることがなく、コネクタに対するカードとの着脱精度が向上する。
【発明を実施するための最良の形態】
【００３１】
〔第１の実施の形態〕
【００３２】
本発明の第１の実施の形態に係る電子機器及び機器ユニットについて、図１、図２及び図３を参照して説明する。図１は、前面側から見たサーバ装置を示す斜視図、図２は、背面側から見たサーバ装置を示す斜視図、図３は、サーバ装置及び装着前の機器ユニットを示す斜視図である。図１〜図３において、同一部分には同一符号を付してある。
【００３３】
図１〜図３には、電子機器の一例としてサーバ装置２が示されている。サーバ装置２には、１又は複数の機器ユニット４が着脱可能に搭載され、機器ユニット４は、サーバ装置２の部分を構成する。機器ユニット４には、１又は複数のカードユニット６が着脱可能に搭載される。
【００３４】
サーバ装置２には、本体ケース２０２の前面側に前面パネル部２０４、その背面側に既述の機器ユニット４が着脱可能に搭載されている。本体ケース２０２には仕切り壁２０６によって仕切られた複数の機器ユニット着脱部２０８が設定され、この実施の形態では、４組の機器ユニット４が搭載されている。各機器ユニット４は、本体ケース２０２に着脱させるシェルフ４０２を備えており、このシェルフ４０２に複数のカードユニット６が搭載され、この実施の形態では、最大３組のカードユニット６が搭載される。カードユニット６には、プリント基板等のカード８（図１４）が着脱可能に搭載される。
【００３５】
各機器ユニット４のシェルフ４０２には、カードユニット６を覆う角筒状のハウジング部４０４が備えられ、サーバ装置２の内部回路と接続するためのコネクタ４０６が搭載されているとともに、シェルフ４０２を操作するための把手部４０８が形成されている。機器ユニット４は、その把手部４０８がサーバ装置２の背面部から突出するように本体ケース２０２の機器ユニット着脱部２０８に設置される。
【００３６】
斯かる構成によれば、本体ケース２０２から機器ユニット４又はそのシェルフ４０２を図３に示すように、引き出すことができるとともに、本体ケース２０２も、シェルフ４０２又は機器ユニット４を収納すると、コネクタ４０６にサーバ装置２の内部回路を接続することができる。そして、カードユニット６は、本体ケース２０２上で又はサーバ装置２から離脱させた機器ユニット４上のいずれにおいても着脱させることができる。
【００３７】
次に、機器ユニット４のシェルフ４０２について、図４、図５、図６、図７、図８、図９及び図１０を参照して説明する。図４は、前面側から見たシェルフを示す斜視図、図５は、背面側から見たシェルフを示す斜視図、図６は、シェルフを示す正面図、図７は、シェルフを示す背面図、図８は、シェルフを示す平面図、図９は、シェルフを示す右側面図、図１０は、シェルフを示す左側面図である。図４〜図１０において、図１〜図３と同一部分には同一符号を付してある。
【００３８】
シェルフ４０２の上面部には、基板４１０とともにカードユニット６に対応する複数のコネクタ４１２が搭載され、これらコネクタ４１２を覆う例えば、金属板で形成された既述のハウジング部４０４とともに制御部４１４等が搭載されている。ハウジング部４０４の天井部には各コネクタ４１２と対向して複数のレール部としてシェルフレール４１６が設置されている。各シェルフレール４１６にはカードユニット６側のレール６０２（図１１）を係合させ、カードユニット６が摺動可能に垂下状態に支持される。
【００３９】
また、シェルフ４０２のハウジング部４０４の天井部には複数の通気孔４１７が形成され、また、ハウジング部４０４の側部には、サーバ装置２の本体ケース２０２の仕切り壁２０６に密着させるためのスプリング４１８が設置されている。
【００４０】
斯かる構成によれば、ハウジング部４０４のシェルフレール４１６にカードユニット６のレール６０２が挿入され、垂下状態で摺動させることにより、カードユニット６はコネクタ４１２の対応位置に移動させることが可能である。
【００４１】
また、サーバ装置２の仕切り壁２０６にスプリング４１８を以てハウジング部４０４を密着させることができ、電磁波の漏洩防止等、シールド効果が高められている。
【００４２】
次に、カードユニットについて、図１１、図１２、図１３、図１４、図１５及び図１６を参照して説明する。図１１は、前面側から見たカードユニットを示す斜視図、図１２は、カードユニットを示す正面図、図１３は、カードユニットを示す平面図、図１４は、カードユニットを示す底面図、図１５は、カードユニットを示す右側面図、図１６は、カードユニットを示す左側面図である。図１１〜図１６において、図３、図６及び図７と同一部分には同一符号を付してある。
【００４３】
カードユニット６には、プリント基板等のカード８が搭載されて伸縮可能なフレーム６０４と、このフレーム６０４の伸縮によってカード８をコネクタ４１２に着脱させる着脱機構６０６とが設置されている。フレーム６０４には支持フレーム部６１０及び可動フレーム部６１２が備えられ、支持フレーム部６１０に対して可動フレーム部６１２を移動させてフレーム６０４を伸縮させる構成である。即ち、フレーム６０４は、支持フレーム部６１０に可動フレーム部６１２をスライドプレート６１６及び複数のスライドシャフト６１４を介在して連結し、スライドプレート６１６の移動によって可動フレーム部６１２を移動させる構成であり、可動フレーム部６１２にはカード８が搭載され、このカード８が可動フレーム部６１２の移動に応じて機器ユニット４のコネクタ４１２に着脱される。
【００４４】
支持フレーム部６１０及びスライドプレート６１６は可動フレーム部６１２の上縁部側に可動フレーム部６１２を挟んで設置されている。また、支持フレーム部６１０には既述のシェルフレール４１６に係合させるレール６０２が取り付けられ、このレール６０２にはスライドプレート６１６を覆うガイド部６１８が備えられており、このガイド部６１８は支持フレーム部６１０との間に一定の間隔を保持させるとともに、複数のねじ６２０によって支持フレーム部６１０に固定されている。即ち、スライドプレート６１６は支持フレーム部６１０とガイド部６１８との間で摺動が可能である。
【００４５】
スライドプレート６１６には、その摺動方向との直交方向に複数のスライドシャフト６１４が固定されており、可動フレーム部６１２には、スライドシャフト６１４の移動方向と交差する方向に傾斜させた複数の傾斜孔６２２が形成され、各傾斜孔６２２にはスライドシャフト６１４が貫通している。また、支持フレーム部６１０にはスライドシャフト６１４との移動方向に対応してガイド孔６２４が形成されている。即ち、スライドプレート６１６とともに移動するスライドシャフト６１４が可動フレーム部６１２の傾斜孔６２２に係合することにより、スライドシャフト６１４の移動方向と交差する方向に可動フレーム部６１２を移動させることができ、移動方向変換部６２６が構成されている。この移動方向変換部６２６は、スライドプレート６１６の移動方向と交差する方向に可動フレーム部６１２の移動方向を変換する移動方向変換機構を構成する。
【００４６】
傾斜孔６２２の各終端部には、スライドシャフト６１４を保持する保持部として保持面部６２８、６３０が形成されている。この保持面部６２８又は保持面部６３０にスライドシャフト６１４が到達すると、可動フレーム部６１２が静止状態で保持される。
【００４７】
このように、カードユニット６は、レール６０２によって機器ユニット４のハウジング部４０４に保持された状態で、移動方向変換部６２６のスライドプレート６１６の移動に応じて可動フレーム部６１２が移動することにより、可動フレーム部６１２に取り付けられているカード８を既述のコネクタ４１２に着脱させることができる。また、スライドプレート６１６の先端部には、スイッチ操作に用いる操作部６２７が形成されている。
【００４８】
そして、支持フレーム部６１０の前端部には前面パネル部６３２が取り付けられ、支持フレーム部６１０に取り付けられた導光部として複数のライトパイプ６３４、６３６の先端部が前面パネル部６３２に露出され、インジケータ部６３８を構成している。これらライトパイプ６３４、６３６を通じて光がカードユニット６の後部から前面パネル部６３２側に導かれる。
【００４９】
スライドプレート６１６の前端側には、カード８の着脱操作に用いられる着脱レバー６４０とともに、スライドプレート６１６及び可動フレーム部６１２の移動開始点を決定するための位置決めバー６４２が支持軸６４３によって回動可能に取り付けられている。
【００５０】
着脱レバー６４０と可動フレーム部６１２との間には両者の移動をロックするロック機構６４４が設置されている。着脱レバー６４０には、ロックアーム６４６が摺動可能に取り付けられ、このロックアーム６４６の先端部が可動フレーム部６１２に取り付けられた補強枠部６４８のロック孔６５０に挿入されて係合し、可動フレーム部６１２の移動を阻止するロック状態が維持される。
【００５１】
前面パネル部６３２には、その上部にハウジング部４０４との間の隙間を補完するために例えば、バネ板で構成されるシールドスプリング６５２が取り付けられているとともに、その側面部にも隣接する他のカードユニット６との隙間を補完するためのシールドスプリング６５４が取り付けられている。同様に、補強枠部６４８の側面部及び底面部にも、隣接する他のカードユニット６との隙間を補完するためのシールドスプリング６５６、６５７が取り付けられている。
【００５２】
可動フレーム部６１２にはカード８を防護するための防護カバー６５８が取り付けられ、この防護カバー６５８には可動フレーム部６１２に着脱可能に取り付けるための複数の取付けアーム部６６０が備えられている。防護カバー６５８は例えば、合成樹脂で一体成形されており、素材が持つ柔軟性を以てカード８に対する外力を緩衝するとともに、複数の通風孔６６２が備えられ、カード８の過熱を防止している。
【００５３】
次に、着脱レバー６４０について、図１７、図１８及び図１９を参照して説明する。図１７は、前面側から見た着脱レバーを示す図、図１８は、背面側から見た着脱レバーを示す図、図１９は、一部を切り欠いて示した着脱レバー及びスライドプレートを示す側面図である。図１７〜図１９において、図１１〜図１６と同一部分には同一符号を付してある。
【００５４】
着脱レバー６４０には、スリット部６６４を設けて一対のレバー片６６６、６６８が備えられるとともに、グリップ部６７０が形成されている。各レバー片６６６、６６８には、スライドプレート６１６（図１５）とともに位置決めバー６４２が挟み込まれるとともに、これらを回動可能に支持するための支持軸６４３を貫通させる支持孔６７２が形成されている。着脱レバー６４０の本体部６７４には、ロックアーム６４６のスライド部６７８が摺動可能に取り付けられ、スライド部６７８に固定ねじ６８０によってスライダ６８２が固定されており、このスライダ６８２が本体部６７４の空間部６８４に圧縮状態のスプリング６８６とともに収納されている。このスプリング６８６の復元力がロックアーム６４６と本体部６７４との間に作用し、ロックアーム６４６がロック位置に保持されている。ロックアーム６４６の鉤部６９０は、可動フレーム部６１２の補強枠部６４８のロック孔６５０に挿入され、可動フレーム部６１２がロックアーム６４６を介してスライドプレート６１６とロックされる。オペレータがスライド部６７８をスプリング６８６の復元力に逆らって押し下げることにより、ロックアーム６４６をグリップ６７０側のロック解除位置に移動させることができる。
【００５５】
レバー片６６６、６６８には前面パネル部６３２の前面部に当接させて移動させるためのカム面６９４が形成されている。カム面６９４は、回動を円滑にするため湾曲面に形成されている。
【００５６】
そして、図１９に示すように、スライドプレート６１６が前面パネル部６３２より引き出された状態で、位置決めバー６４２の先端部を前面パネル部６３２に密着させた位置が、スライドプレート６１６及び可動フレーム部６１２の移動開始点であり、この位置で前面パネル部６３２から位置決めバー６４２との接触を解除し、スライドプレート６１６を前進させ、可動フレーム部６１２を下降させると、カード８が所定のコネクタ４１２に適正に挿入される。
【００５７】
次に、着脱レバー６４０及びスライドプレート６１６の操作について、図２０を参照して説明する。図２０の（Ａ）は着脱レバーの回動操作を示す図、図２０の（Ｂ）はスライドプレートの引出し操作を示す図である。図２０において、図１１〜図１９と同一部分には同一符号を付してある。
【００５８】
図２０の（Ａ）において、着脱レバー６４０のスライド部６７８を矢印ａで示す方向に移動させてロックアーム６４６のロック状態を解除し、グリップ６７０を矢印ｂで示す方向に回動させると、カム面６９４が前面パネル部６３２の前面を転がり、支持軸６４３が前面パネル部６３２から離れる。この結果、スライドプレート６１６は矢印ｃで示す方向に引き出される。
【００５９】
図２０の（Ｂ）に示すように、着脱レバー６４０をスライドプレート６１６の延長線上（水平）に維持した状態でスライドプレート６１６を矢印ｄで示す方向に引き出すと、スライドプレート６１６の移動により、可動フレーム部６１２が最上部に移動する。
【００６０】
また、可動フレーム部６１２を下降させるには、図１９に示すように、位置決めバー６４２が前面パネル部６３２に当たる位置にスライドプレート６１６を維持し、この位置から図２０の（Ａ）に示すように、矢印ｂと反対方向に着脱レバー６４０を回動させることにより、可動フレーム部６１２を所定位置に下降させることができる。これにより、カード８をコネクタ４１２に適正に挿入することができる。
【００６１】
次に、移動方向変換部６２６の動作について、図２１を参照して説明する。図２１の（Ａ）はスライドプレートの挿入状態を示す図、図２１の（Ｂ）はスライドプレートの引出し状態を示す図である。図２１において、図１〜図２０と同一部分には同一符号を付してある。
【００６２】
図２１の（Ａ）に示すように、スライドプレート６１６を矢印ｅで示す方向に移動させると、スライドシャフト６１４が可動フレーム部６１２の傾斜孔６２２を上死点側に移動し、可動フレーム部６１２は矢印ｆで示す方向に下降する。移動方向変換部６２６による移動方向の変換が実行される。スライドシャフト６１４は、傾斜孔６２２の終端部にある保持面部６２８で保持され、可動フレーム部６１２が静止状態に保持される。この場合、スライドシャフト６１４の移動範囲が可動フレーム部６１２の移動距離Δｍ１である。
【００６３】
また、図２１の（Ｂ）に示すように、スライドプレート６１６を矢印ｇで示す方向に移動させると、スライドシャフト６１４が可動フレーム部６１２の傾斜孔６２２を下死点側に移動し、可動フレーム部６１２は矢印ｈに示す方向に上昇する。スライドシャフト６１４は、傾斜孔６２２の終端部にある保持面部６３０で保持され、可動フレーム部６１２が静止状態に保持される。即ち、スライドシャフト６１４の移動範囲に応じて可動フレーム部６１２は移動距離Δｍ１だけ上昇することになる。
【００６４】
次に、機器ユニット４内でのカード８とコネクタ４１２との着脱について、図２２及び図２３を参照して説明する。図２２は、カードとコネクタとの非結合状態を示す図、図２３は、コネクタとカードとの結合状態を示す図である。図２２及び図２３において、図１１〜図２１と同一部分には同一符号を付してある。
【００６５】
図２２に示すように、既述の通り、ロックアーム６４６を可動フレーム部６１２の補強枠部６４８のロック孔６５０から外し、スライドプレート６１６を支持フレーム部６１０の前面パネル部６３２より引き出すと、可動フレーム部６１２がスライドプレート６１６の移動に応じて上昇し、可動フレーム部６１２に搭載されたカード８は、機器ユニット４のコネクタ４１２から外れ、非結合状態となる。この状態でカード８の交換が可能である。
【００６６】
そして、図２２に示すように、位置決めバー６４２を前面パネル部６３２に当てた状態でスライドプレート６１６を維持し、位置決めバー６４２の前面パネル部６３２との接触を解除し、着脱レバー６４０を図２０の矢印ｂと反対方向に回動させると、図２１の（Ａ）に示すように、可動フレーム部６１２が下降する。即ち、スライドプレート６１６が支持フレーム部６１０の前面パネル部６３２内に押し込まれると、可動フレーム部６１２が下降し、可動フレーム部６１２に搭載されたカード８は、図２３に示すように、コネクタ４１２に挿入され、結合される。そして、ロックアーム６４６を補強枠部６４８に係合させると、着脱レバー６４０と支持フレーム部６１０とがロック状態となり、スライドプレート６１６の移動が阻止されるので、可動フレーム部６１２の移動が阻止される。この結果、カード８はコネクタ４１２との結合状態が維持され、安定した接続状態が維持される。
【００６７】
次に、機器ユニットを用いたサーバ装置について、図２４を参照して説明する。図２４は、サーバ装置に搭載された機器ユニットの構成例を示す図である。図２４において、図１〜図２３と同一部分には共通符号を付し、説明の都合上、付記Ａ、Ｂによって区別している。
【００６８】
機器ユニット４にはカードユニット６Ａ、６Ｂに対応し、コネクタ４１２Ａ、４１２Ｂが設置されている。この場合、コネクタ４１２Ａにはバス４２０Ａが接続され、コネクタ４１２Ｂにはバス４２０Ｂが接続されるとともに、バス４２０Ａ、４２０Ｂからコネクタ４１２Ａ、４１２Ｂを切り離す接続切換部４２２Ａ、４２２Ｂが設置されている。これら接続切換部４２２Ａ、４２２Ｂを制御するため、サーバ装置２にはコネクタ着脱制御部４２４が設置され、このコネクタ着脱制御部４２４はサーバ装置２側のホストコンピュータと連携されている。また、コネクタ着脱制御部４２４には、カード８Ａ、８Ｂの異常等を表示するインジケータとして例えば、ＬＣＤ（Liquid Crystal Display）４２６が設置されているとともに、カード８Ａ、８Ｂの着脱を表示するＬＣＤ４２８が設置されている。また、コネクタ着脱制御部４２４にはスライドプレート６１６の操作部６２７によって操作されるスイッチ４３０Ａ、４３０Ｂが接続され、その操作により開閉される。
【００６９】
斯かる構成において、カードユニット６Ａ側のスライドプレート６１６の引き出しが開始されてスイッチ４３０Ａが例えば、ＯＮからＯＦＦに切り換わると、コネクタ着脱制御部４２４から接続切換部４２２Ａに切換制御信号が発せられ、この接続切換部４２２Ａによってコネクタ４１２Ａはバス４２０Ａから切り離される。この状態でカード８Ａの離脱が可能となり、スライドプレート６１６を引き出すことにより、カード８Ａはコネクタ４１２Ａに対して結合状態から非結合状態に安全に移行させることができる。既述の通り、スライドプレート６１６の一連の引出し操作を以て、カード８Ａを活電状態から非活電状態に移行させるとともに、コネクタ４１２Ａから離脱させることができ、他のカード８Ａに交換することができる。
【００７０】
そして、交換されたカード８Ａをカードユニット６Ａとともに機器ユニット４に装着し、スライドプレート６１６を移動させると、所定位置でカード８Ａがコネクタ４１２Ａに結合された後、スライドプレート６１６の移動により、スイッチ４３０ＡがＯＦＦからＯＮ状態に切り換えられ、接続切換部４２２Ａを接続状態に移行させることができるので、カード８Ａはコネクタ４１２Ａを介してバス４２０Ａに接続される。
【００７１】
このカード８Ａの交換処理は、他のカード８Ｂの活電状態に何ら影響を与えることなく独自に行うことができる。しかも、カード８Ａについて、カード８Ａのコネクタ４１２Ａを離脱前にバス４２０Ａとの切断を行うことができ、カード８Ａのコネクタ４１２Ａとの結合後にバス４２０Ａとの接続を行うことができるので、カード８Ａの着脱がバス４２０Ａ側への処理側に何らの影響を生じさせないので、信頼性あるカード交換を実現している。
【００７２】
〔第２の実施の形態〕
【００７３】
本発明の第２の実施の形態に係るカードユニット及び着脱レバーについて、図２５、図２６、図２７、図２８、図２９、図３０、図３１、図３２、図３３、図３４、図３５、図３６及び図３７を参照して説明する。図２５は、着脱レバーを閉状態としたカードユニットを示す斜視図、図２６は、着脱レバーを開状態としたカードユニットを示す斜視図、図２７は、背面側から見たカードユニットを示す斜視図、図２８は、カードユニットを示す正面図、図２９は、カードユニットを示す平面図、図３０、カードユニットを示す側面図、図３１及び図３２は、カードユニットを示す分解斜視図、図３３は、可動フレーム部を示す分解斜視図、図３４は、着脱レバーを示す斜視図、図３５は、着脱レバーを示す分解斜視図、図３６及び図３７は、カードの装着状態を示す図である。図２５〜図３７において、図１〜図２４と同一部分には同一符号を付してある。
【００７４】
このカードユニット６は、既述のカードユニット６、６Ａ、６Ｂ（図１〜図２４）に代えて、図１〜図３及び図２４に示すサーバ装置２、図４〜図７に示す機器ユニット４に用いることができる。従って、既述のカードユニット６と同一部分には同一符号を付し、その説明を省略する。
【００７５】
図２５〜図３２に示すように、このカードユニット６では、支持フレーム部６１０の上面に長尺状のレール６０２が複数の固定ネジ７００を以て取り付けられている。このレール６０２の下面側には、支持壁７０２とともにスライドシャフト６１４の移動を案内する長孔７０４を備えたガイド部７０６が形成されている。このレール６０２とフレーム６０４の支持フレーム部６１０との間には、ライトパイプ６３４、６３６を支持するライトパイプブラケット７０８が取り付けられ、このライトパイプブラケッ７０８には、レール６０２を固定する固定ネジ７００によって固定される固定部７１０とともに、ライトパイプ６３４、６３６を係止させる係止部７１２が形成されている。支持フレーム部６１０に形成された複数の細い長孔７１４を貫通させた各係止部７１２に各ライトパイプ６３４、６３６の橋絡部７１６を係止させることにより、各ライトパイプ６３４、６３６が支持フレーム部６１０の下面側に設置される。また、ライトパイプブラケット７０８の後端部には、ライトパイプ６３４、６３６を貫通させて支持する支持部７１７が形成されている。
【００７６】
支持フレーム部６１０の前部には前面パネル部６３２が取り付けられ、この前面パネル部６３２に形成された長孔６３５よりスライドプレート６１６が挿入され、このスライドプレート６１６は支持フレーム部６１０に摺動可能に平行に維持される。スライドプレート６１６の中途部には複数のスライドシャフト６１４が固定ネジ７１８によって固定され、各スライドシャフト６１４は可動フレーム部６１２の傾斜孔６２２に挿入される。スライドプレート６１６、スライドシャフト６１４及び可動フレーム部６１２の傾斜孔６２２により、スライドプレート６１６の水平方向の移動を可動フレーム部６１２の上下方向の移動に変換する移動方向変換部６２６が構成されている。
【００７７】
スライドプレート６１６の後端部にはＬ字形のストッパ部７２０が形成され、このストッパ部７２０に形成された支持孔７２２には、着脱レバー７２４側の支持軸７２６が回動可能にｅリング７２８を以て固定される。
【００７８】
可動フレーム部６１２にはカード８を搭載する板状のベース部７３０が設置され、このベース部７３０にカード８が設置される。ベース部７３０にはカード８のサイズ又は大きさに対応するアジャスト固定機構７３２が設置されている。可動フレーム部６１２及びベース部７３０の双方には、カード８の高さ方向の縁部に対応する複数のスライド孔７３４、カード８の幅方向の縁部に対応する複数のスライド孔７３６が形成されており、可動フレーム部６１２側のスライド孔７３４、７３６にはスライド部７３８を摺動させるレール部７４０が取り付けられる。スライド部７３８にはカード８の縁部に当てられてカード８を固定するブラケット７４２が固定ネジ７４４によって取り付けられ、各ブラケット７４２は各スライド部７３８に固定ネジ７４４を緩めることにより摺動可能であり、カード８の大きさや形状に対応した位置にブラケット７４２を位置調整することが可能である。
【００７９】
ベース部７３０にはカード８のコネクタ部８０２を包囲するカバー部７４６が形成され、このカバー部７４６は、可動フレーム部６１２の支持部７４８に形成された透孔部７５０に挿入される。カード８の前縁部には固定ピン８０４が取り付けられており、この固定ピン８０４は可動フレーム部６１２の補強枠部６４８に固定される。
【００８０】
また、可動フレーム部６１２にはベース部７３０及びカード８を覆う例えば、合成樹脂で形成された防護カバー６５８が設置され、この防護カバー６５８によってカード８が防護される。防護カバー６５８には可動フレーム部６１２に着脱させる着脱脚部７５２が形成されている。
【００８１】
可動フレーム部６１２の前面パネル部６３２の上面及び側面にはそれぞれシールドスプリング６５２、６５４が取り付けられるとともに、可動フレーム部６１２の前縁部側に固定された補強枠部６４８の側面部及び下面部にも、バネ板からなるシールドスプリング７５３、７５４、７５５、７５６が取り付けられ、隣接部材との隙間がこれらシールドスプリング６５２、６５４、７５３、７５４、７５５、７５６によって補完され、機器ユニット４の前面側からの電磁波の漏洩が防止されている。
【００８２】
また、図３３に示すように、可動フレーム部６１２の前縁部には補強枠部６４８を取り付ける補強枠取付部７５８が形成されており、この補強枠取付部７５８と補強枠部６４８との間には補強枠部６４８の背面側形状に対応する例えば、バネ板からなるシールドプレート７６０が設置されている。また、補強枠部６４８の上部には支持フレーム部６１０に取り付けられる前面パネル部６３２に挿入される挿入枠部７６２が固定されている。また、補強枠取付部７５８と支持部７４８との間には橋絡支持片７６４が取り付けられ、両者の機械的強度が高められている。
【００８３】
補強枠部６４８の枠本体部７６５の側部には窓部７６６が形成され、また、補強枠部６４８には着脱レバー７２４のガイド部７９０（図３４）を挿入するための挿入部７７０が形成されている。
【００８４】
そして、着脱レバー７２４が支持軸７２６を以て回動可能に取り付けられたスライドプレート６１６のストッパ部７２０には、図３４に示すように、着脱レバー７２４の回動を停止するストッパ片７７２が形成され、このストッパ片７７２が着脱レバー７２４の回動始点Ｐ１を構成している。着脱レバー７２４は支持軸７２６を中心にして９０度以上の回動が可能であるが、着脱レバー７２４をスライドプレート６１６と直交状態となる回動始点Ｐ１からスライドプレート６１６と一致する例えば、水平状態となる９０度の角度の位置に回動停止点Ｐ２が設定され、この回動停止点Ｐ２をオペレータに示唆するため、着脱レバー７２４とスライドプレート６１６のストッパ部７２０との間にクリック機構７７４が形成されている。このクリック機構７７４は、この実施の形態の場合、着脱レバー７２４と接触する突部７７６がスライドプレート６１６側に形成され、この突部７７６に対応する凹部７７８が着脱レバー７２４側に形成されている。即ち、支持軸７２６を中心にしてストッパ片７７２と、突部７７６との成す角度が所定角度として例えば、９０度であり、凹部７７８及び突部７７６の位置関係は両者の軌跡上にある。スライドプレート６１６の突部７７６と着脱レバー７２４との間には両者の摩擦によって負荷が与えられているのに対し、突部７７６が凹部７７８に嵌まり込むと、回動負荷が部分的に解除される結果、オペレータにはクリック感が付与され、回動停止点Ｐ２を感覚的に認識できる。この時点で回動を停止すると、着脱レバー７２４はスライドプレート６１６と水平状態（直線状）に維持される。
【００８５】
そして、着脱レバー７２４の終端部にはグリップ７６８が支持軸７６９によって回動可能に取り付けられ、このグリップ７６８は例えば、合成樹脂で形成されている。グリップ７６８と着脱レバー７２４との間にはグリップ７６８の回動を規制する回動規制部７８０が形成されているとともに、補強枠部６４８との間には着脱レバー７２４の回動を阻止するストッパ機構７８２が形成されている。回動規制部７８０は、グリップ７６８側に形成された突部７８４と、着脱レバー７２４側に形成された回動規制窓７８６とで構成され、突部７８４が回動規制窓７８６に挿入され、回動規制窓７８６の開口範囲に突部７８４の移動が制限されている。
【００８６】
ストッパ機構７８２は、グリップ７６８の後部に形成された鉤止爪部７８８と、補強枠部６４８側のストッパ片７９２とで構成されている。補強枠部６４８には、着脱レバー７２４に形成されたガイド部７９０が挿入される挿入部７７０が形成され、この挿入部７７０内に既述のストッパ片７９２が形成されている。着脱レバー７２４がスライドプレート６１６のストッパ片７７２に当たるとともに、補強枠部６４８に密着させた状態で、ガイド部７９０とともにグリップ７６８が補強枠部６４８側の挿入部７７０に挿入されると、グリップ７６８の鉤止爪部７８８がストッパ片７９２に係合し、着脱レバー７２４の回動が阻止される。この状態で可動フレーム部６１２の移動が阻止される。着脱レバー７２４を回動するには、グリップ７６８を操作して鉤止爪部７８８とストッパ片７９２との係合を解除する必要がある。
【００８７】
着脱レバー７２４には、回動中心である支持軸７２６を中心に、スライドプレート６１６の引出し長（位置）を規制する長さＬに設定された位置決め部７９３が形成されているとともに、この位置決め部７９３にはカム面７９５が形成され、このカム面７９５は、前面パネル部６３２に接触して回動する湾曲面である。このカム面７９５は、第１の実施の形態のカム面６９４に対応する。そして、着脱レバー７２４は、図３５に示すように、ステンレス板の打抜加工によって形成された複数の着脱レバー片７２４Ａ、７２４Ｂ、７２４Ｃ、７２４Ｄ、７２４Ｅを積層し、リベット７９４によって一体化されている。各着脱レバー片７２４Ａ、７２４Ｂ、７２４Ｃ、７２４Ｄ、７２４Ｅには、支持軸７２６を支持する支持孔７９６が形成されているとともに、リベット孔７９８が形成されている。着脱レバー７２４は、金属片の積層体ではなく、単体の金属体を以て構成してもよい。
【００８８】
そして、斯かる構成のカードユニット６の可動フレーム部６１２に取り付けられたベース部７３０には、アジャスト固定機構７３２の位置調整により、図３６に示すように、小サイズのカード８、又は、図３７に示すように、大サイズのカード８を取り付けることができ、サイズに関係なく、可動フレーム部６１２にはカード８が搭載される。
【００８９】
次に、着脱レバー７２４及びスライドプレート６１６の操作について、図３８及び図３９を参照して説明する。図３８の（Ａ）は着脱レバー７２４のロック状態を示す図、図３８の（Ｂ）は着脱レバー７２４の回動途上を示す図、図３９の（Ａ）は着脱レバー７２４の回動途上を示す図、図３９の（Ｂ）は着脱レバー７２４の回動終了を示す図、図３９の（Ｃ）はスライドプレートの引出し状態を示す図である。図３８及び図３９において、図２５〜図３７と同一部分には同一符号を付してある。
【００９０】
図３８の（Ａ）に示すように、着脱レバー７２４のロック状態において、グリップ７６８を矢印ｉで示す方向に回動させると、着脱レバー７２４のロック状態が解除され、回動可能状態となる。この場合、スライドプレート６１６のストッパ部７２０は、前面パネル部６３２に当接し、また、着脱レバー７２４は、スライドプレート６１６のストッパ部７２０のストッパ片７７２に当接している。
【００９１】
図３８の（Ｂ）に示すように、グリップ７６８を矢印ｊで示す方向に回動させると、カム面７９５が前面パネル部６３２の前面上に接触して回動し、その回動に応じてスライドプレート６１６が前面パネル部６３２の前方に引き出される。図３９の（Ａ）に示すように、着脱レバー７２４の回動を矢印ｋで示す方向に回動させ、図３９の（Ｂ）の位置に着脱レバー７２４が至ると、着脱レバー７２４側の凹部７７８にスライドプレート６１６側の突部７７６が係合し（図３４）、クリック感が生じる。この位置で着脱レバー７２４の回動を停止すれば、スライドプレート６１６と着脱レバー７２４とは水平に維持される。この状態で図３９の（Ｃ）に示すように、矢印ｏで示す方向に着脱レバー７２４とともにスライドプレート６１６を引き出すと、突出幅ΔＭが生じる。即ち、この突出幅ΔＭは、位置決め部７９３の先端部を前面パネル部６３２に当接した場合の突出幅Δｍ２より大きく（ΔＭ＞Δｍ２）、これら突出幅ΔＭ、Δｍ２の差ΔＭｍ（＝ΔＭ−Δｍ２）は、傾斜孔６２２の終端部にある保持面部６３０（図３３）にスライドシャフト６１４を到達させて保持させる部分であり、これによって可動フレーム部６１２が保持された状態となる。
【００９２】
そして、図３９の（Ｂ）に示すように、着脱レバー７２４の先端部を前面パネル部６３２の前面に当接させると、位置決め部７９３で設定された引出し長Ｌ（図３４）により、スライドプレート６１６の突出幅Δｍ２が設定される。この位置が可動フレーム部６１２に搭載されたカード８のコネクタ４１２への着脱位置である。この位置で着脱レバー７２４のカム面７９５を前面パネル部６３２に当てながら矢印ｎで示す方向に着脱レバー７２４を回動させ、図３９の（Ａ）の矢印ｐ、図３８の（Ｂ）の矢印ｑに示すように、連続した回動を経て図３８の（Ａ）に示す位置に到達させると、カード８はコネクタ４１２に装着される。そして、グリップ７６８を図３８の（Ａ）の矢印ｒに示す方向に回動させると、グリップ７６８がロックされて着脱レバー７２４の回動が阻止され、カード８とコネクタ４１２との結合状態が保持される。カム面７９５を前面パネル部６３２に当てながら、着脱レバー７２４を回動させることは、その回動に伴ってスライドプレート６１６が支持フレーム部６１０に沿って前面パネル部６３２内に移動するとともに、カード８がコネクタ４１２の最適位置に下降することになる。
【００９３】
次に、機器ユニット内のカードユニットとコネクタとの着脱について、図４０及び図４１を参照して説明する。図４０は、カードとコネクタとの非結合状態を示す図、図４１は、コネクタとカードとの結合状態を示す図である。図４０及び図４１において、図２５〜図３７と同一部分には同一符号を付してある。
【００９４】
スライドプレート６１６は、図３８及び図３９に示した通り、着脱レバー７２４等の操作によって移動させることができる。そこで、図４０（図３９の（Ｂ））に示すように、着脱レバー７２４を水平に維持した状態では、可動フレーム部６１２に搭載されたカード８はコネクタ４１２から離脱した状態（非結合状態）となる。この状態で、位置決め部７９３によってスライドプレート６１６の突出幅Δｍ２を維持し、着脱レバー７２４を矢印ｓに示す方向に回動させ、前面パネル部６３２に当接させると、図４１に示すように、可動フレーム部６１２に搭載されたカード８をコネクタ４１２に装着することができる。
【００９５】
〔第３の実施の形態〕
【００９６】
本発明の第３の実施の形態に係るカードユニットについて、図４２、図４３及び図４４を参照して説明する。図４２は、着脱レバーを閉じたカードユニットを示す斜視図、図４３は、着脱レバーを開いたカードユニットを示す斜視図、図４４は、スプリングを示す斜視図である。図４２〜図４４において、図２５〜図３７と同一部分には同一符号を付してある。
【００９７】
この実施の形態では、補強枠部６４８の側面部に複数の窓部９００が形成され、この窓部９００に対応する突出部９０２を備えた断面Ｃ字形のシールドスプリング９０４を設置し、突出部９０２を窓部９００から突出させている。複数の突出部９０２は、所定間隔で形成された複数の透孔９０６によって形成されている。このシールドスプリング９０４の突出状態は、着脱レバー７２４に形成されたスプリング操作部９０８がシールドスプリング９０４に接触することにより維持される。即ち、スプリング操作部９０８が補強枠部６４８内にあるとき、その側面よりシールドスプリング９０４が押し出される。この状態で隣接するカードユニット６とが密着状態となり、電磁波の漏洩が防止される。
【００９８】
そして、カードユニット６に対してカード８を着脱させる際には、図４３に示すように、着脱レバー７２４が補強枠部６４８から離脱し、シールドスプリング９０４との接触が解除される結果、シールドスプリング９０４は補強枠部６４８の内側に後退する。このような後退状態となることにより、シールドスプリング９０４の他の部材との接触が回避され、無用な応力からシールドスプリング９０４を防護でき、変形等の不都合を防止できる。
【００９９】
〔第４の実施の形態〕
【０１００】
本発明の第４の実施の形態に係るカードユニットについて、図４５及び図４６を参照して説明する。図４５は、他のアジャスト固定機構を備える可動フレーム部の一部を示す図、図４６は、図４５のXLVI−XLVI線断面図である。図４５及び図４６において、図２５〜図３７と同一部分には同一符号を付してある。
【０１０１】
カード８を搭載する可動フレーム部６１２の前面部には、カード８の固定位置が調整されるアジャスト固定機構９１０が設置され、このアジャスト固定機構９１０では、可動フレーム部６１２の前面にレール部９１２が設置され、このレール部９１２は合成樹脂等によって形成され、鋸歯状の凹凸部９１４が形成されている。レール部９１２には、カード８の固定位置に対応する固定スライダ９１６が設置され、この固定スライダ９１６には凹凸部９１４に対応する凹凸部９１８が形成され、これら凹凸部９１４、９１８は噛み合う構成である。そして、固定スライダ９１６を可動フレーム部６１２に摺動可能に保持するため、レール部９１２に平行して保持突部９２０、９２２が形成されている。これら保持突部９２０、９２２に対応する段部９２４、９２６が固定スライダ９１６に形成され、保持突部９２０、９２２と段部９２４、９２６とによって固定スライダ９１６のスライド位置が設定されている。また、固定スライダ９１６には、カード８に係合させる係合突部９２８が形成されている。
【０１０２】
このような構成によれば、可動フレーム部６１２に搭載されるカード８の大きさに応じて固定スライダ９１６を移動させ、その係合突部９２８をカード８の縁部に係合させ、保持部材９３０を可動フレーム部６１２に固定すれば、大きさに無関係にカード８を可動フレーム部６１２に固定することができる。
【０１０３】
〔他の実施の形態〕
【０１０４】
なお、上記実施の形態では、カードユニット６にカード８を搭載し、機器ユニット４にカードユニット６を搭載する構成について説明したが、機器ユニット４は、カードユニット以外の部品や装置を備える構成としてもよい。
【０１０５】
次に、以上述べた本発明のカードユニット、機器ユニット、カード着脱方法及び電子機器の各実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【０１０６】
（付記１）  コネクタに着脱されるカードが搭載されるカードユニットであって、
前記カードが搭載されて伸縮するフレームと、
前記フレームを伸縮させて前記カードを前記コネクタに着脱させる着脱機構と、
を備えることを特徴とするカードユニット。
【０１０７】
（付記２）  付記１に記載のカードユニットにおいて、
前記着脱機構は、回転操作によって前記フレームを伸縮させる回動可能な着脱レバーを備えることを特徴とするカードユニット。
【０１０８】
（付記３）  付記１に記載のカードユニットにおいて、
前記コネクタから前記カードを離脱させた位置で前記フレームを保持する保持部を備えることを特徴とするカードユニット。
【０１０９】
（付記４）  付記１に記載のカードユニットにおいて、
前記コネクタに前記カードが装着された位置で前記フレームの移動をロックするロック機構を備えることを特徴とするカードユニット。
【０１１０】
（付記５）  付記１に記載のカードユニットにおいて、
前記フレームに搭載された前記カードを防護する防護カバーを備えることを特徴とするカードユニット。
【０１１１】
（付記６）  付記１に記載のカードユニットにおいて、
前記フレームは、支持フレーム部と、前記カードが搭載されて移動可能な可動フレーム部とを備え、前記可動フレーム部の移動によって伸縮することを特徴とするカードユニット。
【０１１２】
（付記７）  付記１に記載のカードユニットにおいて、
前記可動フレーム部に設置されたベース部と、
前記カードに応じて固定位置が調整され、前記ベース部上に前記カードを固定するカード固定機構と、
を備えることを特徴とするカードユニット。
【０１１３】
（付記８）  付記１に記載のカードユニットにおいて、
前記フレームにレールを備え、該レールを以て外部機器に取り付けられることを特徴とするカードユニット。
【０１１４】
（付記９）  付記１に記載のカードユニットにおいて、
前記着脱機構は、
前記カードが搭載されて移動可能な可動フレーム部と、
この可動フレーム部と別個に設けられた支持フレーム部と、
この支持フレーム部に摺動可能に支持されたスライド部と、
このスライド部と前記可動フレーム部との間に設置されて前記スライド部の移動方向と交差する方向に前記可動フレーム部を移動させる移動方向変換機構部と、
を備え、前記スライド部を移動させることにより、前記移動方向変換機構部を介して前記可動フレーム部を移動させることにより、前記コネクタに対して前記カードを着脱させることを特徴とするカードユニット。
【０１１５】
（付記１０）  付記４に記載のカードユニットにおいて、
前記ロック機構は、
回転操作によって前記フレームを伸縮させる回動可能な着脱レバーに回動可能に設置されたグリップと前記フレームとの間に設置され、前記グリップの回動によって解除可能な構成であることを特徴とするカードユニット。
【０１１６】
（付記１１）  付記７に記載のカードユニットにおいて、
前記カード固定機構は、前記カードに対応して固定位置を調整する固定位置アジャスト機構を備えたことを特徴とするカードユニット。
【０１１７】
（付記１２）  付記９に記載のカードユニットにおいて、
前記着脱機構に、前記支持フレーム部に対し、移動を開始する移動開始点、移動を終了させる移動終了点を設定するとともに、前記移動開始点又は前記移動終了点の何れか一方又は双方に前記可動フレーム部をその位置で保持する保持部を備えることを特徴とするカードユニット。
【０１１８】
（付記１３）  付記９に記載のカードユニットにおいて、
前記コネクタに前記カードが装着された位置で前記可動フレーム部の移動をロックするロック機構を備えることを特徴とするカードユニット。
【０１１９】
（付記１４）  付記９に記載のカードユニットにおいて、
前記可動フレーム部に搭載された前記カードの前記コネクタとの着脱位置を決定する位置決め部を含むことを特徴とするカードユニット。
【０１２０】
（付記１５）  付記９に記載のカードユニットにおいて、
前記移動方向変換機構部は、
前記スライド部に取り付けられたスライドシャフトと、
前記可動フレーム部に形成され、前記スライドシャフトの移動方向と交差する方向の角度を持たせた長孔と、
を備えたことを特徴とするカードユニット。
【０１２１】
（付記１６）  付記９に記載のカードユニットにおいて、
前記支持フレーム部に設置され、前記カードユニットの前面側に光を導く導光部を備えたことを特徴とするカードユニット。
【０１２２】
（付記１７）  付記９に記載のカードユニットにおいて、
前記スライド部に外部スイッチを操作する操作部を備えることを特徴とするカードユニット。
【０１２３】
（付記１８）  付記１４に記載のカードユニットにおいて、
前記位置決め部は、回動によって前記可動フレーム部を移動させる着脱レバーに一体に含むことを特徴とするカードユニット。
【０１２４】
（付記１９）  付記１４に記載のカードユニットにおいて、
前記位置決め部は、前記スライド部に回動可能に取り付けられた位置決めバーで構成されたことを特徴とするカードユニット。
【０１２５】
（付記２０）  付記１５に記載のカードユニットにおいて、
前記支持フレーム部に形成されて前記スライドシャフトの移動を案内するとともに、移動範囲を規制するガイド部を含むことを特徴とするカードユニット。
【０１２６】
（付記２１）  カードが搭載されたカードユニットを着脱可能に含む機器ユニットであって、
前記カードを着脱させるコネクタが搭載された基板部と、
この基板部を覆い、前記カードユニットを収容するハウジング部と、
を備えることを特徴とする機器ユニット。
【０１２７】
（付記２２）  付記２１に記載の機器ユニットにおいて、
前記カードユニットは、前記カードが搭載されて移動する可動フレーム部を備え、前記可動フレームの移動により、前記コネクタに対し、前記カードを着脱させることを特徴とする機器ユニット。
【０１２８】
（付記２３）  付記２１に記載の機器ユニットにおいて、
前記ハウジング部は、前記カードユニットを摺動可能に支持するレール部を備えることを特徴とする機器ユニット。
【０１２９】
（付記２４）  付記２１に記載の機器ユニットにおいて、
前記カードユニットは、
前記カードが搭載されて伸縮するフレームと、
前記フレームを伸縮させて前記カードを前記コネクタに着脱させる着脱機構と、
を備えることを特徴とする機器ユニット。
【０１３０】
（付記２５）  付記２４に記載の機器ユニットにおいて、
前記着脱機構は、
前記カードが搭載されて移動可能な可動フレーム部と、
この可動フレーム部と別個に設けられた支持フレーム部と、
この支持フレーム部に摺動可能に支持されたスライド部と、                          このスライド部と前記可動フレーム部との間に設置されて前記スライド部の移動方向と交差する方向に前記可動フレーム部を移動させる移動方向変換機構部と、
を備え、前記スライド部を移動させることにより、前記移動方向変換機構部を介して前記可動フレーム部を移動させることにより、前記コネクタに対して前記カードを着脱させることを特徴とする機器ユニット。
【０１３１】
（付記２６）  カードユニットに搭載されたカードのコネクタに対するカード着脱方法であって、
前記カードを搭載したフレームと交差方向にスライド部を移動させ、前記スライド部の移動方向を変換する工程と、
前記スライド部によって操作された前記フレームの移動により、前記カードを前記コネクタに対して着脱させる工程と、
を含むことを特徴とするカード着脱方法。
【０１３２】
（付記２７）  カードが搭載されたカードユニットを備える電子機器であって、
カードが搭載されたカードユニットを着脱可能に含む機器ユニットを着脱可能に備えることを特徴とする電子機器。
【０１３３】
（付記２８）  カードが搭載されたカードユニットを備える電子機器であって、
前記カードを着脱させるコネクタが搭載された基板部と、
この基板部を覆い、前記カードユニットを収容するハウジング部と、
を備えることを特徴とする電子機器。
【０１３４】
（付記２９）  付記２７に記載の電子機器において、
前記カードユニットは、前記カードが搭載されて移動する可動フレーム部を備え、前記可動フレームの移動により、前記コネクタに対し、前記カードを着脱させることを特徴とする電子機器。
【０１３５】
（付記３０）  付記２８に記載の電子機器において、
前記カードユニットは、
前記カードが搭載されて伸縮するフレームと、
前記フレームを伸縮させて前記カードを前記コネクタに着脱させる着脱機構と、
を備えることを特徴とする電子機器。
【０１３６】
（付記３１）  付記３０に記載の電子機器において、
前記着脱機構は、
前記カードが搭載されて移動可能な可動フレーム部と、
この可動フレーム部と別個に設けられた支持フレーム部と、
この支持フレーム部に摺動可能に支持されたスライド部と、                          このスライド部と前記可動フレーム部との間に設置されて前記スライド部の移動方向と交差する方向に前記可動フレーム部を移動させる移動方向変換機構部と、
を備え、前記スライド部を移動させることにより、前記移動方向変換機構部を介して前記可動フレーム部を移動させることにより、前記コネクタに対して前記カードを着脱させることを特徴とする電子機器。
【０１３７】
（付記３２）  付記２７に記載の電子機器において、
前記カードユニットの着脱に応じて切り換えられるスイッチと、
前記スイッチの切換えにより、交換対象である前記カードが着脱される前記コネクタをバスから切り離す切換部と、
を備えることを特徴とする電子機器。
【０１３８】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１３９】
本発明は、プリント基板の交換等、カード交換にドライバ等の工具が不要、又はその使用が軽減されるので、カードの着脱の容易化とともに、カード交換に伴うカードの着脱位置が規制されるので、着脱対象であるカードとコネクタとの位置関係がずれることがなく、コネクタに対するカードとの着脱精度の向上が図られる。
【図面の簡単な説明】
【０１４０】
【図１】第１の実施の形態に係るサーバ装置を前面側から見て示した斜視図である。
【図２】背面側から見たサーバ装置を示す斜視図である。
【図３】サーバ装置及び装着前の機器ユニットを示す斜視図である。
【図４】前面側から見たシェルフを示す斜視図である。
【図５】背面側から見たシェルフを示す斜視図である。
【図６】シェルフを示す正面図である。
【図７】シェルフを示す背面図である。
【図８】シェルフを示す平面図である。
【図９】シェルフを示す右側面図である。
【図１０】シェルフを示す左側面図である。
【図１１】前面側から見たカードユニットを示す斜視図である。
【図１２】カードユニットを示す正面図である。
【図１３】カードユニットを示す平面図である。
【図１４】カードユニットを示す底面図である。
【図１５】カードユニットを示す右側面図である。
【図１６】カードユニットを示す左側面図である。
【図１７】前面側から見た着脱レバーを示す図である。
【図１８】背面側から見た着脱レバーを示す図である。
【図１９】一部を切り欠いて示した着脱レバー及びスライドプレートを示す側面図である。
【図２０】（Ａ）は着脱レバーの回動操作を示す図、（Ｂ）はスライドプレートの引出し操作を示す図である。
【図２１】（Ａ）はスライドプレートの挿入状態を示す図、（Ｂ）はスライドプレートの引出し状態を示す図である。
【図２２】カードとコネクタとの非結合状態を示す図である。
【図２３】カードとコネクタとの結合状態を示す図である。
【図２４】サーバ装置に搭載された機器ユニットの構成例を示す図である。
【図２５】第２の実施の形態に係るカードユニットの着脱レバーを閉じて示した斜視図である。
【図２６】着脱レバーを開いて示したカードユニットを示す斜視図である。
【図２７】背面側から見たカードユニットを示す斜視図である。
【図２８】カードユニットを示す正面図である。
【図２９】カードユニットを示す平面図である。
【図３０】カードユニットを示す側面図である。
【図３１】カードユニットを示す分解斜視図である。
【図３２】カードユニットを示す分解斜視図である。
【図３３】可動フレーム部を示す分解斜視図である。
【図３４】着脱レバーを示す斜視図である。
【図３５】着脱レバーを示す分解斜視図である。
【図３６】カードの装着状態を示す図である。
【図３７】カードの装着状態を示す図である。
【図３８】（Ａ）は着脱レバーのロック状態を示す図、（Ｂ）は着脱レバーの回動途上を示す図である。
【図３９】（Ａ）は着脱レバーの回動途上を示す図、（Ｂ）は着脱レバーの回動終了を示す図、（Ｃ）はスライドプレートの引出し状態を示す図である。
【図４０】カードとコネクタとの非結合状態を示す図である。
【図４１】カードとコネクタとの結合状態を示す図である。
【図４２】第３の実施の形態に係るカードユニットの着脱レバーを閉じて示した斜視図である。
【図４３】着脱レバーを開いたカードユニットを示す斜視図である。
【図４４】スプリングを示す斜視図である。
【図４５】第４の実施の形態に係るカードユニットの可動フレーム部の一部を示す図である。
【図４６】図４５のXLVI−XLVI線断面図である。
【符号の説明】
【０１４１】
２  サーバ装置
４  機器ユニット
６、６Ａ、６Ｂ  カードユニット
８  カード
４１２  コネクタ
６０４  フレーム
６０６  着脱機構
６１０  支持フレーム部
６１２  可動フレーム部
６１６  スライドプレート
６２８、６３０  保持面部
６４０、７２４  着脱レバー
【図１】
2007109985.tif 000003
【図２】
2007109985.tif 000004
【図３】
2007109985.tif 000005
【図４】
2007109985.tif 000006
【図５】
2007109985.tif 000007
【図６】
2007109985.tif 000008
【図７】
2007109985.tif 000009
【図８】
2007109985.tif 000010
【図９】
2007109985.tif 000011
【図１０】
2007109985.tif 000012
【図１１】
2007109985.tif 000013
【図１２】
2007109985.tif 000014
【図１３】
2007109985.tif 000015
【図１４】
2007109985.tif 000016
【図１５】
2007109985.tif 000017
【図１６】
2007109985.tif 000018
【図１７】
2007109985.tif 000019
【図１８】
2007109985.tif 000020
【図１９】
2007109985.tif 000021
【図２０】
2007109985.tif 000022
【図２１】
2007109985.tif 000023
【図２２】
2007109985.tif 000024
【図２３】
2007109985.tif 000025
【図２４】
2007109985.tif 000026
【図２５】
2007109985.tif 000027
【図２６】
2007109985.tif 000028
【図２７】
2007109985.tif 000029
【図２８】
2007109985.tif 000030
【図２９】
2007109985.tif 000031
【図３０】
2007109985.tif 000032
【図３１】
2007109985.tif 000033
【図３２】
2007109985.tif 000034
【図３３】
2007109985.tif 000035
【図３４】
2007109985.tif 000036
【図３５】
2007109985.tif 000037
【図３６】
2007109985.tif 000038
【図３７】
2007109985.tif 000039
【図３８】
2007109985.tif 000040
【図３９】
2007109985.tif 000041
【図４０】
2007109985.tif 000042
【図４１】
2007109985.tif 000043
【図４２】
2007109985.tif 000044
【図４３】
2007109985.tif 000045
【図４４】
2007109985.tif 000046
【図４５】
2007109985.tif 000047
【図４６】
2007109985.tif 000048